(57)【特許請求の範囲】
【請求項１】
注入ポンプであって、
静脈（「ＩＶ」）管を受容するように構成される管ポートを含む筐体であって、前記管ポートは、
前記筐体内に位置する入口端部と、前記筐体の縁に位置する出口端部と、前記入口端部と前記出口端部との間の長さとを有する管チャネルと、
前記出口端部に隣接する前記管チャネルに沿って位置付けられるリブであって、前記リブは、前記管チャネルを前記管チャネルの前記長さの少なくとも一部に沿って少なくとも２つのチャネルに分岐させるように、前記管チャネルの表面から離れるように突出するように形成される、リブと
を含む、筐体
を備える、注入ポンプ。
【請求項２】
前記ＩＶ管が前記リブに対して圧迫されるときに前記ＩＶ管内での流体閉塞を防止するように、前記少なくとも２つのチャネルは、それぞれの管領域を受け入れるように構成されている、請求項１に記載の注入ポンプ。
【請求項３】
前記管チャネルは、前記筐体の内壁に沿って位置付けられる、請求項１−２のいずれかに記載の注入ポンプ。
【請求項４】
前記管チャネルは、前記ＩＶ管の一部を支持するように構成されている、請求項１−２のいずれかに記載の注入ポンプ。
【請求項５】
前記ＩＶ管が、前記管ポートを通して圧迫されると、前記ＩＶ管が前記管チャネルに沿って延在する、請求項１−４のいずれかに記載の注入ポンプ。
【請求項６】
注入ポンプのための筐体であって、
静脈（「ＩＶ」）管を受容するように構成される管ポートであって、前記管ポートは、
入口端部と、出口端部と、前記入口端部と前記出口端部との間の長さとを有する、管チャネルと、
前記出口端部に隣接する前記管チャネルの前記長さの少なくとも一部に沿って位置付けられるリブであって、前記リブは、前記ＩＶ管に向かって前記管チャネルの表面から離れるように突出するように形成され、それによって、前記ＩＶ管を湾入させ、前記ＩＶ管の管領域が前記ＩＶ管における少なくとも２つの管領域に分割されることをもたらし、前記ＩＶ管の完全な閉塞を防止する、リブと
を含む、管ポート
を備える、筐体。
【請求項７】
前記リブは、前記管チャネルを、第１のチャネルと、第２のチャネルとに分岐させるように構成される、請求項６に記載の筐体。
【請求項８】
前記第１のチャネルおよび前記第２のチャネルは、前記少なくとも２つの管領域をそれぞれ受け入れるように構成されている、請求項７に記載の筐体。
【請求項９】
前記管チャネルは、前記筐体の内壁に沿って位置付けられる、請求項６−７のいずれかに記載の筐体。
【請求項１０】
前記リブは、前記管チャネルの前記長さに沿って第１の端部および第２の端部を含み、前記第１の端部は、第１の直径を有し、前記第２の端部は、前記第1の直径とは異なる第２の直径を有する、請求項６−９のいずれかに記載の筐体。
【請求項１１】
前記第２の直径は、前記第１の直径より大きい、請求項１０に記載の筐体。
【請求項１２】
前記リブは、第１の端部から第２の端部まで徐々に増加する、前記管チャネルの表面からの延在部を含み、前記第１の端部よりも前記第２の端部が前記管ポートの外側開口部により近接する、請求項６−９のいずれかに記載の筐体。
【請求項１３】
前記少なくとも２つの管領域の形成は、前記ＩＶ管が前記リブに対して圧迫されるときに前記ＩＶ管内での流体閉塞を防止する、請求項６−１２のいずれかに記載の筐体。
【請求項１４】
前記リブは、前記筐体の内側上に位置付けられる、請求項６−１３のいずれかに記載の筐体。
【請求項１５】
前記リブは、前記筐体の外側上に位置付けられる、請求項６−１３のいずれかに記載の筐体。
【請求項１６】
注入ポンプであって、
静脈（「ＩＶ」）管を受容するように構成される管ポートを含む筐体であって、前記管ポートは、
前記筐体の外側上の前記管ポートの周のまわりに位置付けられる複数のリブであって、前記複数のリブは、前記ＩＶ管が前記筐体の外側上で屈曲されるとき、前記ＩＶ管内の閉塞を防止するように構成される、複数のリブ
を含む、筐体
を備える、注入ポンプ。
【請求項１７】
前記複数のリブは、前記周のまわりに円周方向に位置付けられ、それぞれ、前記管ポートの中心に向けられる、請求項１６に記載の注入ポンプ。
【請求項１８】
前記複数のリブはそれぞれ、同一のサイズおよび形状を有する、請求項１６−１７のいずれかに記載の注入ポンプ。
【請求項１９】
前記複数のリブは、第１のリブと、第２のリブとを含み、前記第１のリブは、前記第２のリブと異なる形状、サイズ、および／または配向を有する、請求項１６−１７のいずれかに記載の注入ポンプ。
【請求項２０】
前記複数のリブはそれぞれ、前記管ポートの中心に向かって半径方向に延在する、請求項１６−１９のいずれかに記載の注入ポンプ。
【発明の詳細な説明】
【技術分野】
【０００１】
（優先権主張）
本願は、２０１６年１２月３０日に出願され“Ａｎｔｉ−Ｏｃｃｌｕｓｉｏｎ  Ｉｎｔｒａｖｅｎｏｕｓ  Ｔｕｂｅ  Ｐｏｒｔ”と題された米国仮特許出願第６２／４４０，７３８号の通常出願に対する優先権およびそれとしての利益を主張するものであり、その内容は、参照により、本明細書中に援用され、依拠される。
【背景技術】
【０００２】
注入ポンプは、長時間にわたって、患者に流体（例えば、薬物または薬剤）を送達する。具体的には、注入ポンプは、直接注射によって投与することが禁止され得る長い持続時間にわたって、患者に薬物を投与するために使用されてもよい。注入ポンプは、種々の理由に起因して遮断または閉塞され得る静脈（「ＩＶ」）管を通して、流体（例えば、薬剤）を送達し得る。
【０００３】
管の閉塞は、注入ポンプに誤った注入容積を表示させ得るため、問題となる。加えて、総注入容積の不正確な記録が、さらなるＩＶ療法を処方するとき、不適切な臨床的決定をもたらし得る。加えて、管の閉塞は、重要な薬剤の投与を遅延させ得る。患者への薬剤の投与の遅延は、合併症をもたらし、患者の健康に悪影響を及ぼし得る。例えば、鎮痛剤等の即効性薬物（例えば、ドーパミン、オキシトシン、ニトロプルシド）の投与の遅延は、閉塞が是正されるまで、患者により長い時間周期にわたって苦痛を被らせ得る。加えて、その効果が即座に認識されず、数時間にわたって実感されない場合がある、より遅効性薬剤（例えば、ヘパリン、インスリン、リドカイン）の投与を遅延させることの結果は、薬物の効果をさらに遅延させ得る。薬物が適切に投与される時間までに、患者が薬物の利点を受ける前に、さらに数時間がかかり得る。
【発明の概要】
【課題を解決するための手段】
【０００４】
本開示は、閉塞防止静脈（「ＩＶ」）管ポートを伴う、改良された注入ポンプ筐体を提供する。閉塞防止ＩＶ管ポートは、管がポンプから退出する場所における完全なエラストマＩＶ管の閉塞を防止し、特に、管が鋭い出口角度でポンプから退出するときの事例において有用である。管ポートは、ＩＶ管が屈曲され、ポンプから出ると、完全に圧潰されない２つ以上の領域に分割され、それによって、液体（例えば、薬剤）が、管を通して患者に流動し続けることを可能にすることを確実にするための、１つ以上の徐々に増加するリブを含んでもよい。リブ外形における緩やかな増加は、たとえ管がポンプ筐体に対して複数の方向に屈曲または捻転されても、ＩＶ管が完全に閉塞しないことを確実にする。閉塞防止ＩＶ管ポートは、複数のリブを含んでもよい。例えば、方略的にポンプ筐体の外部上に離間された複数のリブは、有利には、管が種々の出口角度で屈曲されるとき、ＩＶ管の圧潰および閉塞を防止し得る。
【０００５】
本明細書に説明される主題の側面は、単独で、または本明細書に説明される他の側面のうちの任意の１つ以上のものとの組み合わせにおいて有用であり得る。前述の説明を限定することなく、別様に規定されない限り、本明細書に列挙される任意の他の側面と組み合わせられ得る、本開示の第１の側面では、注入ポンプは、ＩＶ管を受容するように適合される管ポートを含む、筐体を含む。管ポートは、管チャネルと、リブとを含む。チャネルは、入口端部と、出口端部とを有する。リブは、出口端部に隣接するチャネルに沿って位置付けられる。加えて、リブは、管が、管ポートを通過されると、管に向かって延在し、それによって、管を湾入させ、管の完全な閉塞を防止する傾向になるように形成される。
【０００６】
別様に規定されない限り、本明細書に列挙される任意の他の側面と組み合わせられ得る、本開示の第２の側面では、リブは、管チャネルを、第１のチャネルと、第２のチャネルとに分岐させるように構成される。
【０００７】
別様に規定されない限り、本明細書に列挙される任意の他の側面と組み合わせられ得る、本開示の第３の側面では、管チャネルは、筐体の内壁に沿って位置付けられ、管ポートに対して少なくとも略垂直である。
【０００８】
別様に規定されない限り、本明細書に列挙される任意の他の側面と組み合わせられ得る、本開示の第４の側面では、管チャネルは、筐体の内壁に沿って位置付けられ、管ポートに対して少なくとも略平行である。
【０００９】
別様に規定されない限り、本明細書に列挙される任意の他の側面と組み合わせられ得る、本開示の第５の側面では、注入ポンプは、管が管ポートを通して圧迫されると、管が管チャネルに沿って延在するように構成される。
【００１０】
別様に規定されない限り、本明細書に列挙される任意の他の側面と組み合わせられ得る、本開示の第６の側面では、注入ポンプのための筐体は、ＩＶ管を受容するように適合される、管ポートを含む。管ポートは、管チャネルと、リブとを含む。管チャネルは、入口端部と、出口端部とを有する。リブは、出口端部に隣接するチャネルに沿って位置付けられる。加えて、リブは、管が、管ポートを通過されるにつれて、管に向かって延在し、それによって、管を湾入させ、管の完全な閉塞を防止する傾向になるように形成される。
【００１１】
別様に規定されない限り、本明細書に列挙される任意の他の側面と組み合わせられ得る、本開示の第７の側面では、リブは、管チャネルを、第１のチャネルと、第２のチャネルとに分岐させるように構成されてもよい。
【００１２】
別様に規定されない限り、本明細書に列挙される任意の他の側面と組み合わせられ得る、本開示の第８の側面では、管チャネルは、筐体の内壁に沿って位置付けられてもよく、管ポートに対して少なくとも略垂直であってもよい。
【００１３】
別様に規定されない限り、本明細書に列挙される任意の他の側面と組み合わせられ得る、本開示の第９の側面では、管チャネルは、筐体の内壁に沿って位置付けられてもよく、管ポートに対して少なくとも略平行である。
【００１４】
別様に規定されない限り、本明細書に列挙される任意の他の側面と組み合わせられ得る、本開示の第１０の側面では、リブは、第１の端部と、第２の端部とを含んでもよく、第１の端部は、第１の直径を有してもよく、第２の端部は、第２の異なる直径を有してもよい。
【００１５】
別様に規定されない限り、本明細書に列挙される任意の他の側面と組み合わせられ得る、本開示の第１１の側面では、第２の直径は、第１の直径より大きくてもよい。
【００１６】
別様に規定されない限り、本明細書に列挙される任意の他の側面と組み合わせられ得る、本開示の第１２の側面では、リブは、第１の端部から第２の端部まで徐々に増加する外形を含んでもよく、第１の端部は、第２の端部よりポートの外側開口部により近接してもよい。
【００１７】
別様に規定されない限り、本明細書に列挙される任意の他の側面と組み合わせられ得る、本開示の第１３の側面では、リブは、ＩＶ管を、２つの非閉塞領域に分割するように構成されてもよい。
【００１８】
別様に規定されない限り、本明細書に列挙される任意の他の側面と組み合わせられ得る、本開示の第１４の側面では、リブは、筐体の内側上に位置付けられてもよい。
【００１９】
別様に規定されない限り、本明細書に列挙される任意の他の側面と組み合わせられ得る、本開示の第１５の側面では、リブは、筐体の外側上に位置付けられてもよい。
【００２０】
別様に規定されない限り、本明細書に列挙される任意の他の側面と組み合わせられ得る、本開示の第１６の側面では、注入ポンプは、筐体の壁を通して延在する管ポートを有する、筐体を含む。管ポートは、静脈（「ＩＶ」）管を受容するように構成される。管ポートは、筐体の外側上の管ポートの周のまわりに位置付けられる、複数のリブを含む。加えて、複数のリブは、管が筐体の外側上で屈曲されるとき、管内の閉塞を防止するように構成されてもよい。
【００２１】
別様に規定されない限り、本明細書に列挙される任意の他の側面と組み合わせられ得る、本開示の第１７の側面では、複数のリブは、周のまわりに円周方向に位置付けられてもよく、それぞれ、ポートの中心に向けられる。
【００２２】
別様に規定されない限り、本明細書に列挙される任意の他の側面と組み合わせられ得る、本開示の第１８の側面では、複数のリブはそれぞれ、少なくともほぼ同一のサイズおよび形状を有してもよい。
【００２３】
別様に規定されない限り、本明細書に列挙される任意の他の側面と組み合わせられ得る、本開示の第１９の側面では、複数のリブは、第１のリブと、第２のリブとを含んでもよく、第１のリブは、第２のリブと異なる形状、サイズ、および／または配向を有してもよい。
【００２４】
別様に規定されない限り、本明細書に列挙される任意の他の側面と組み合わせられ得る、本開示の第２０の側面では、複数のリブはそれぞれ、ポートの中心に向かって半径方向に延在する。
【００２５】
別様に規定されない限り、本明細書に列挙される任意の他の側面と組み合わせられ得る、本開示の第２１の側面では、注入ポンプは、静脈（「ＩＶ」）管を受容するように適合される管ポートを含む、筐体を含む。管ポートは、管チャネルと、リブとを含む。チャネルは、入口端部と、出口端部とを有する。リブは、出口端部に隣接するチャネルに沿って位置付けられる。加えて、リブは、チャネルから離れるように延在するように形成される。
【００２６】
本開示の第２２の側面では、図１−１９Ｃのうちの任意の１つ以上のものまたはその全てと関連付けられる、任意の構造および機能性が、図１−１９Ｃのうちの任意の他の１つ以上のものまたはその全てと関連付けられる、任意の構造および機能性と組み合わされてもよい。
【００２７】
これらの側面のうちの任意のものが相互排他的である限り、そのような相互排他性は、そのような側面が明示的に列挙されているかどうかにかかわらず、そのような側面と任意の他の側面の組み合わせをいかようにも限定するものではない。これらの側面のうちの任意のものは、限定ではないが、システム、方法、装置、デバイス、媒体等として請求され得る。
【００２８】
本明細書における上記の側面および説明に照らして、故に、ＩＶ管が注入ポンプから退出するとき、エラストマ静脈管の閉塞を防止することは、本開示の利点である。
【００２９】
管を、完全に圧潰されない２つの領域に分割することは、本開示の別の利点である。
【００３０】
管が急激に圧潰されないことを確実にすることによって、管の閉塞を防止することは、本開示のさらなる利点である。
【００３１】
さらに、いくつかの管出口角度に関して管の閉塞を防止することは、本開示のさらなる利点である。
【００３２】
さらに、既存の静脈管セットに関して管の閉塞を防止することは、本開示の別の利点である。
【００３３】
なおも、臨床的治療ステップを変化させることなく管の閉塞を防止することは、本開示のさらなる利点である。
【００３４】
閉塞防止管ポートを含む、開示される注入ポンプおよび筐体の付加的な特徴および利点は、以下の詳細な説明および図面において説明され、そしてそれらから明白となるであろう。本明細書に説明される特徴および利点は、包括的ではなく、特に、多くの付加的な特徴および利点は、図面および説明に照らして当業者に明白となるであろう。また、任意の特定の実施形態は、本明細書に列挙される利点を全て有する必要はない。そのうえ、本明細書において使用される言い回しは、主として、可読性および指導的な目的のために選択され、本発明の主題の範囲を限定するものではないことに留意されたい。
【図面の簡単な説明】
【００３５】
【図１Ａ】図１Ａは、本開示の例示的実施形態による、注入ポンプの等角図である。
【００３６】
【図１Ｂ】図１Ｂおよび１Ｃは、本開示の例示的実施形態による、注入ポンプの部分的等角図である。
【図１Ｃ】図１Ｂおよび１Ｃは、本開示の例示的実施形態による、注入ポンプの部分的等角図である。
【００３７】
【図１Ｄ】図１Ｄは、本開示の例示的実施形態による、注入ポンプを通り、管ポートから退出する、静脈（「ＩＶ」）管の経路を示す断面図である。
【００３８】
【図２Ａ】図２Ａは、本開示の例示的実施形態による、注入ポンプのための筐体の等角図である。
【００３９】
【図２Ｂ】図２Ｂおよび２Ｃは、本開示の例示的実施形態による、注入ポンプのための筐体の部分的等角図である。
【図２Ｃ】図２Ｂおよび２Ｃは、本開示の例示的実施形態による、注入ポンプのための筐体の部分的等角図である。
【００４０】
【図３】図３は、本開示の例示的実施形態による、管ポートの等角図である。
【００４１】
【図４】図４Ａ−４Ｄは、本開示の種々の例示的実施形態による、管ポートの等角図である。
【００４２】
【図５Ａ】図５Ａは、本開示の例示的実施形態による、管ポートの上面図である。
【００４３】
【図５Ｂ】図５Ｂは、本開示の例示的実施形態による、管ポートの底面図である。
【００４４】
【図６Ａ】図６Ａは、本開示の例示的実施形態による、管ポートの上面図である。
【００４５】
【図６Ｂ】図６Ｂは、本開示の例示的実施形態による、管ポートの底面図である。
【００４６】
【図７Ａ】図７Ａは、本開示の例示的実施形態による、管ポートの上面図である。
【００４７】
【図７Ｂ】図７Ｂは、本開示の例示的実施形態による、管ポートの底面図である。
【００４８】
【図８Ａ】図８Ａは、本開示の例示的実施形態による、管ポートの上面図である。
【００４９】
【図８Ｂ】図８Ｂは、本開示の例示的実施形態による、管ポートの底面図である。
【００５０】
【図９Ａ】図９Ａは、本開示の例示的実施形態による、管ポートの上面図である。
【００５１】
【図９Ｂ】図９Ｂは、本開示の例示的実施形態による、管ポートの底面図である。
【００５２】
【図１０Ａ】図１０Ａは、本開示の例示的実施形態による、管ポートの上面図である。
【００５３】
【図１０Ｂ】図１０Ｂは、本開示の例示的実施形態による、管ポートの底面図である。
【００５４】
【図１０Ｃ】図１０Ｃは、本開示の例示的実施形態による、管ポートの断面図である。
【００５５】
【図１１Ａ】図１１Ａは、本開示の例示的実施形態による、管ポートの上面図である。
【００５６】
【図１１Ｂ】図１１Ｂは、本開示の例示的実施形態による、管ポートの底面図である。
【００５７】
【図１２Ａ】図１２Ａは、本開示の例示的実施形態による、管ポートの上面図である。
【００５８】
【図１２Ｂ】図１２Ｂは、本開示の例示的実施形態による、管ポートの底面図である。
【００５９】
【図１３Ａ】図１３Ａは、本開示の例示的実施形態による、管ポートの上面図である。
【００６０】
【図１３Ｂ】図１３Ｂは、本開示の例示的実施形態による、管ポートの底面図である。
【００６１】
【図１４Ａ】図１４Ａは、本開示の例示的実施形態による、管ポートの上面図である。
【００６２】
【図１４Ｂ】図１４Ｂは、本開示の例示的実施形態による、管ポートの底面図である。
【００６３】
【図１５】図１５は、本開示の例示的実施形態による、注入ポンプの等角図である。
【００６４】
【図１６】図１６は、本開示の例示的実施形態による、管ポートの等角図である。
【００６５】
【図１７Ａ】図１７Ａは、従来の管開口部から外に延在する、例示的な完全に圧潰され閉塞された管の図である。
【００６６】
【図１７Ｂ】図１７Ｂは、本開示の例示的実施形態による、管ポートから外に延在する、非閉塞管の図である。
【００６７】
【図１８Ａ】図１８Ａおよび１８Ｂは、本開示の例示的実施形態による、管ポートから外に延在する、非閉塞管の図である。
【図１８Ｂ】図１８Ａおよび１８Ｂは、本開示の例示的実施形態による、管ポートから外に延在する、非閉塞管の図である。
【００６８】
【図１８Ｃ】図１８Ｃは、本開示の例示的実施形態による、管ポート内のリブにわたって変形された、静脈管を図示する。
【００６９】
【図１９Ａ】図１９Ａは、本開示の例示的実施形態による、管ポートの上面図である。
【００７０】
【図１９Ｂ】図１９Ｂは、本開示の例示的実施形態による、管ポートの底面図である。
【００７１】
【図１９Ｃ】図１９Ｃは、本開示の例示的実施形態による、管ポートの断面図である。
【発明を実施するための形態】
【００７２】
本明細書において議論されるように、管のポンプからの退出に応じて静脈管の閉塞を防止するための、閉塞防止静脈管ポートを伴う改良された注入ポンプが、提供される。管の閉塞は、注入ポンプに誤った注入容積を表示させ得るため、問題となる。加えて、総注入容積の不正確な記録が、さらなるＩＶ療法を処方するとき、不適切な臨床的決定をもたらし得る。さらに、管の閉塞は、重要な薬剤の投与を遅延させ得る。患者への薬剤の投与の遅延は、合併症をもたらし得、患者の健康に悪影響を及ぼし得る。例えば、鎮痛剤等の即効性薬物（例えば、ドーパミン、オキシトシン、ニトロプルシド）の投与の遅延は、閉塞が是正されるまで、患者により長い時間周期にわたって苦痛を被らせ得る。加えて、その効果が即座に認識されず、数時間にわたって実感されない場合がある、より遅効性薬剤（例えば、ヘパリン、インスリン、リドカイン）の投与を遅延させることは、薬物の効果をさらに遅延させ得る。薬物が適切に投与される時間までに、患者が薬物の利点を受ける前に、さらに数時間がかかり得る。
【００７３】
閉塞防止ＩＶ管ポートは、管がポンプから退出する場所におけるエラストマＩＶ管の閉塞を防止し、特に、管が鋭い出口角度で退出するときの事例において有用である。管ポートは、ＩＶ管が屈曲されると、完全に閉塞しない２つ以上の領域に分割され、それによって、液体（例えば、薬剤）が、管を通して患者に流動し続けることを可能にすることを確実にするための、１つ以上の徐々に増加するリブを含んでもよい。リブ外形における緩やかな増加は、特に、ポンプ筐体に対して横または複数の方向に屈曲されるとき、ＩＶ管が完全に圧潰されないことを確実にし得る。閉塞防止ＩＶ管ポートはまた、複数のリブを含んでもよい。例えば、方略的にポンプ筐体の外部上に離間された複数のリブは、有利には、管が種々の出口角度で屈曲されるとき、ＩＶ管の圧潰および閉塞を防止し得る。
【００７４】
図面、特に、図１Ａ−１Ｄを参照すると、一実施形態では、本開示の注入ポンプ１００は、筐体１１０を含む。ポンプ１００の構成要素は全て、金属、プラスチック、ゴム、およびそれらの組み合わせから作製されてもよい。筐体１１０は、単一の金型または複数の金型から形成されてもよく、単一の区分、またはともに継合し、筐体エンクロージャ１１０を形成する、複数の区分を含んでもよい。例えば、筐体１１０は、筐体１１０の背部に接続し、ポンプエンクロージャを形成する、ドアを含んでもよい。加えて、筐体１１０は、ＩＶ管１２０を受容するように適合される、管ポート１５０を含んでもよい。管ポート１５０は、筐体エンクロージャ１１０の壁を通して延在してもよい。例えば、管ポート１５０は、（図１Ａ−１Ｃに図示されるように）筐体１１０の上壁を通して垂直に延在してもよい。別の実施例では、管ポート１５０は、（下記により詳細に議論される図１Ｄに図示されるように）筐体１１０内のスロットまたは間隙を通して水平に延在してもよい。ある実施形態では、ポンプ１００は、管ポート１５０が、実質的には任意の角度で延在し得るように、必要に応じて回転可能である。
【００７５】
図１Ｄに図示されるように、管１２０は、屈曲されてもよく、および／または筐体１１０を通して種々の経路を辿ってもよい。例えば、管１２０は、管ポート１５０を通して筐体１１０から退出する前に、屈曲され、筐体１１０の内壁に沿って延在してもよい。別の例示的実施形態では、管１２０は、屈曲することおよび／または筐体１１０の内壁に沿って延在することなく、筐体１１０の内部を通過し、開口部またはスロット（例えば、管ポート１５０の出口）を通して退出してもよい。管１２０は、異なるポンプ構成および配列に起因して、筐体１１０内の種々の経路に沿って進行し得ること、および管ポート１５０は、そのような配列毎に構成され得ることを理解されたい。
【００７６】
ここで、図２Ａ−２Ｃを参照すると、注入ポンプ１００のための筐体１１０が、図示される。筐体１１０は、筐体エンクロージャ１１０のドア２１０上に、管ポート１５０を含んでもよい。別の例示的実施形態では、管ポート１５０は、筐体１１０の壁を通して延在してもよい。加えて、管ポート１５０は、筐体１１０の２つの継合片の継目に（例えば、ドアが筐体１１０の残部と界面接触する場所に）位置付けられてもよい。筐体１１０はまた、管ポート１５０が退出する場所にスリットまたは間隙を含んでもよい。
【００７７】
図２Ｂおよび２Ｃにより詳細に図示されるように、管ポート１５０は、管チャネル２４０を含んでもよい。管チャネル２４０は、図示される実施形態では、入口端部２５４と、出口端部２５８とを有する。例えば、管チャネル２４０は、入口端部２５４から出口端部２５８まで延在してもよい。加えて、管チャネル２４０は、種々の長さを有してもよい。例えば、管チャネル２４０の長さは、管１２０に逃げを十分に提供するように構成されてもよい。管チャネル２４０は、例えば、管１２０が、屈曲し、筐体１１０から退出するにつれて、より緩やかに遷移し得るように長くあり得る。例示的実施形態では、入口端部２５４において、管チャネル２４０は、浅くてもよく、チャネル２４０が出口端部２５８に向かって延在するにつれて、深度が徐々に増加してもよい。例えば、徐々に増加するチャネル深度は、有利には、管１２０が徐々に屈曲し、それによって、管内の応力を低減させ、管の完全な圧潰を防止することを可能にし得る。別の例示的実施形態では、管チャネル２４０は、入口端部２５４から出口端部２５８まで実質的に同一の深度を有してもよい。
【００７８】
加えて、管チャネル２４０は、筐体１１０の内側から筐体１１０の外側まで延在してもよい。例えば、管１２０は、筐体１１０内の開口または孔（例えば、管ポート）を通して一直線に延在してもよい。例示的実施形態では、管チャネル２４０は、そのような開口または孔の内側表面であってもよい。例えば、入口端部２５４および出口端部２５８は、それぞれ、筐体１１０を通した開口または孔の内側および外側であってもよい。加えて、管チャネル２４０は、筐体１１０内の壁の厚さに等しい長さを有してもよい。
【００７９】
さらなる例示的実施形態では、管ポート２５０は、チャネル２４０に沿って位置付けられる、リブ２８０を含んでもよい。リブ２８０は、チャネル２４０の種々の長さに沿って延在してもよい。例えば、リブ２８０は、チャネル２４０の一部に沿って延在してもよい。別の実施例では、リブ２８０は、チャネル２４０の長さ全体に沿って延在してもよい。加えて、リブ２８０は、管チャネル２４０の出口端部２５８に隣接して位置してもよい。リブ２８０は、チャネル２４０から離れるように延在するように形成されてもよい。加えて、リブ２８０は、管１２０が管ポート１５０を通過されると、ＩＶ管１２０に向かって延在するように形成されてもよい。例えば、リブ２８０は、管１２０を湾入させ、それによって、有利には、（下記により詳細に説明される）管１２０の完全な閉塞を防止してもよい。リブ２８０は、管１２０が管ポート１５０から退出する方法にかかわらず（例えば、出口角度、引動力、方向等にかかわらず）、管１２０を湾入させてもよい。例示的実施形態では、リブ２８０は、管１２０が特定の方向に屈曲または引動されると、管１２０を湾入させてもよい。加えて、リブ２８０は、管チャネル２４０を、第１のチャネル２４４と、第２のチャネル２４８とに分岐させてもよい。リブ２８０が管１２０を部分的に変形させるにつれて、管１２０は、開放した状態に留まり、管１２０を完全に閉塞させることを防止するために、管１２０の領域のために十分な空間を提供するように構成される、第１および第２のチャネル２４４、２４８に嵌入してもよい。ある実施例では、第１および第２のチャネル２４４、２４８は、対称的であってもよい。例えば、リブ２８０は、チャネル２４０の中心線に沿って位置付けられてもよい。別の例示的実施形態では、第１および第２のチャネル２４４、２４８は、非対称的であってもよい。例えば、第１および第２のチャネル２４４、２４８は、異なる外形および／または異なる形状を有してもよい。加えて、リブ２８０は、管チャネル２４０の中心線からオフセットされ、それによって、非対称的な第１および第２のチャネル２４４、２４８を作成してもよい。
【００８０】
別の例示的実施形態では、複数のリブ２８０が、チャネル２４０に沿って位置付けられてもよい。例えば、チャネル２４０に沿って直列配列に位置付けれられる、２つのリブが、存在してもよい。別の例示的実施形態では、直列配列に位置付けれられる、２つを上回るリブ２８０が、存在してもよい。加えて、複数のリブ２８０は、横並びに位置付けられる、または管チャネル１４０の中心線からオフセットされてもよい。そのような実施形態では、リブ２８０は、管チャネル２４０を、管１２０が嵌入する、２つ以上のチャネルに分岐させてもよい。
【００８１】
ここで、図３を参照すると、リブ２８０は、第１の端部３１０と、第２の端部３２０とを含んでもよい。第２の端部３２０は、第１の端部３１０より管ポ−ト２５０の外側開口部に近接してもよい。第１の端部３１０において、リブ２８０は、チャネル２４０に類似する薄型外形を有してもよく、リブが第２の端部３２０に向かって延在するにつれて、リブ２８０は、大きい外形（例えば、第１の端部３１０における外形より高く、幅広い）を有してもよい。例示的実施形態では、リブ２８０の第１の端部３１０は、管チャネル２４０の入口端部２５４から開始してもよい。別の実施例では、第１の端部３１０は、管チャネル２４０の入口端部２５４と出口端部２５８との間のある場所から開始してもよい。例えば、リブ２８０は、チャネル２４０の中間点から開始する、第１の端部３１０を有してもよく、チャネル２４０の後半部に沿って延在してもよい。他の実施例では、リブ２８０は、管チャネル２４０の長さの３分の１に沿って延在してもよい。加えて、リブ２８０の第２の端部３２０は、管チャネル２４０の出口端部２５８に位置してもよい。別の例示的実施形態では、第２の端部３２０は、出口端部２５８の前に位置付けられてもよい。
【００８２】
例示的実施形態では、リブ２８０は、丸みを帯びた外形を有してもよく、出口端部２５８に向かって管チャネル２４０に沿って延在するにつれて、徐々に増加してもよい。例えば、第１の端部３１０は、第１の直径３１２を有してもよく、第２の端部３２０は、第２の直径３２２を有してもよい。ある実施例では、第１および第２の直径３１２、３２２は、異なってもよい。加えて、第２の直径３２２は、リブ２８０の外形が管ポート１５０の出口端部２５８の近傍の第２の端部３２０から増加する（例えば、より高くおよび／またはより幅広くなる）ように、第１の直径３１２より大きくてもよい。徐々に増加するリブ２８０は、有利には、（下記により詳細に説明される図１７Ａ−１８Ｃに図示されるように）ＩＶ管１２０が屈曲されると、管１２０が、圧潰されず、それによって、管の完全な閉塞を防止する、２つの領域に徐々に分割されることを確実にする。
【００８３】
リブ２８０は、例えば、図３に図示されるような管チャネル２４０を伴う、丸みを帯びた「Ｗ」形状を形成する（または形成されることに役立つ）ように、丸みを帯びた外形を含んでもよい。例えば、第１および第２のチャネル２４４および２４８は、丸みを帯びた「Ｗ」部の谷部の中に存在し得る一方、リブ２８０は、丸みを帯びた「Ｗ」部の中央に頂部を形成する。リブ２８０の外形が徐々に増加する場合、丸みを帯びた「Ｗ」部の頂部は、リブ２８０が管チャネル２４０の出口端部２５８に向かって延在するにつれて、徐々により高くかつより幅広くなってもよい。リブ２８０は、管１２０を湾入させるように、位置付けされ、配列されてもよく、これは、有利には、管１２０の完全な閉塞を防止する傾向にあってもよい。例えば、徐々に増加する外形は、有利には、管１２０が屈曲されると、完全に圧潰されず、それによって、管１２０の完全な閉塞を防止する、２つの領域に分割されることを確実にし得る。
【００８４】
図４Ａ−４Ｄは、管ポート１５０の種々の他の例示的実施形態を図示する。例えば、図４Ａに図示されるように、管チャネル２４０は、入口端部２５４から出口端部２５８への実質的に類似するチャネル幅４１０を有してもよい。別の例示的実施形態では、管チャネル２４０は、可変のチャネル幅４１０を有してもよい。例えば、図４Ｂ−４Ｄに図示されるように、チャネル幅４１０は、出口端部２５８において、入口端部２５４におけるものより大きくてもよい。ある実施例では、チャネル幅４１０は、管１２０の外径より大きくてもよい。別の実施例では、チャネル幅４１０は、管１２０の外径に実質的に類似してもよい。加えて、チャネル幅４１０は、管１２０に追加の支持を提供し、管１２０が屈曲の間に完全に平坦化して完全に閉塞されることを防止するように構成されてもよい。さらに加えて、チャネル幅４１０は、管１２０が、リブ２８０にわたって屈曲され変形する（例えば、それによって、管１２０のより幅広い外形を作成する）につれて、十分な空間を提供するために、出口端部２５８においてより大きくてもよい。
【００８５】
図５Ａ−１０Ｃは、管ポート１５０の他の例示的実施形態を図示する。例えば、管チャネル２４０は、管チャネル２４０が管ポート１５０の出口に対して略垂直になるように、筐体１１０の内壁に沿って位置付けられてもよい。例えば、管ポート１５０を通過する管１２０は、筐体１１０の内壁に沿って管チャネル２４０の中に着座されてもよく、筐体１１０から退出する前に、少なくとも実質的に９０度曲がってもよい（例えば、図１Ｄ参照）。他の例示的実施形態では、管１２０は、種々の出口角度で筐体１１０から退出してもよい。例示的実施形態では、管チャネル２４０の長さは、筐体１１０上に、それを通して管１２０が通過する、隆起部５１０を含むことによって延在されてもよい。隆起部５１０は、筐体１１０が、筐体１１０の構造的完全性を低減させることなく、十分な深度を伴うチャネル２４０を支持するために十分な厚さを有することを確実にするように提供されてもよい。隆起部５１０は、有利には、筐体１１０に、管１２０が筐体１１０から退出する場所における面積の中に付加的な支持を提供してもよい。例えば、ある場合には、管１２０は、急激に曲がることによって注入ポンプ１００から退出し得、これは、管１２０および筐体１１０に付加的な応力を追加し得る。隆起部５１０は、管チャネル２４０および関連付けられるリブ２８０が、長さが増加することを可能にし、それによって、有利には、管１２０に、圧潰されることなく屈曲を通して遷移するためのさらなる空間を可能にする。
【００８６】
隆起部５１０は、種々の形状およびサイズ（例えば、幅、高さ等）を有してもよい。ある実施例では、隆起部５１０は、（図５Ａ−６Ｂに図示されるように）筐体１１０の外側に沿って、例えば、管チャネル２４０の長さに沿って延在してもよい。別の実施例では、隆起部５１０は、図７Ａ−１０Ｂに図示されるように、主に、管チャネル２４０の出口端部２５８の近傍に位置付けられてもよい。
【００８７】
ここで、図１１Ａ−１３Ｂを参照すると、管ポート１５０は、筐体１１０の外側上に位置付けられる、リブ６８０を含んでもよい。例えば、管１２０がリブ６８０に向かって屈曲されるにつれて、リブ６８０は、選択的に管１２０を湾入させ、管の完全な閉塞を防止してもよい。図１１Ａおよび１１Ｂに図示されるように、リブ６８０は、管１２０が筐体１１０から退出し、筐体１１０の外部に沿って延在するシナリオに好適であり得る。例えば、管１２０が経路６５０（矢印によって示される）に沿って延在するにつれて、リブ６８０は、有利には、管１２０を２つの非閉塞領域に分割してもよい。図１１Ｂおよび１２Ｂに図示されるように、管チャネル６４０は、２つの別個の領域（例えば、第１の領域６６４および第２の領域６６８）を有し、管１２０が筐体１１０の縁にわたって徐々に丸まることを補助してもよい。例えば、管１２０は、管チャネル６４０内に着座されてもよく、筐体１１０に向かって戻り、そしてリブ６８０の周囲で徐々に丸まる前に、筐体１１０から離れるように湾曲し始めてもよい。図１２Ａ−１３Ｂは、リブ６８０および管チャネル６４０の他の構成を図示する。
【００８８】
ここで、図１４Ａおよび１４Ｂを参照すると、管ポート１５０は、リブ７８０を含む、または形成してもよい。例示的実施形態では、リブ７８０は、管チャネルに沿って延在しない場合があるが、代わりに、管チャネル２４０の出口端部２５８に位置付けられてもよい。例えば、リブ７８０は、筐体１１０の２つの部分が衝合する筐体１１０の部分の縁（例えば、筐体エンクロージャの残部と噛合するドアの縁）上に位置付けられてもよい。例示的実施形態では、リブ７８０は、筐体１１０の出口開口（例えば、管チャネル２４０の出口端部２５８）内に「Ｗ」形状外形を作成してもよい。管１２０が出口開口を通して延在するにつれて、リブ２８０は、有利には、管１２０を、完全に圧潰されず、それによって、管１２０の完全な閉塞を防止する、２つの領域に分割する。
【００８９】
ここで、図１５および１６を参照すると、筐体１１０は、その壁のうちの１つを通して延在する、管ポート８５０を含んでもよい。例示的実施形態では、管ポート８５０は、ＩＶ管１２０を受容するように構成される。加えて、管ポート８５０は、複数のリブ８８０を含んでもよい。複数のリブ８８０は、管ポート８５０の周８３０のまわり、例えば、筐体１１０の外側上に位置付けられてもよい。例えば、複数のリブ８８０は、周８３０のまわりに円周方向に位置付けられ（所望されるように、均一または非均一に離間され）てもよい。図示される実施形態では、複数のリブ８８０の各リブは、管ポート８５０の中心８３２に向かって半径方向に延在してもよい。リブ８８０は、代替として、管ポート８５０の中心８３２に対して非半径方向に延在してもよい。
【００９０】
図１６に図示されるように、各リブは、ほぼ同一のサイズおよび形状を有してもよい。例えば、複数のリブ８８０の第１のリブ８８２および複数のリブ８８０の第２のリブ８８４は両方とも、円筒形状を有してもよい。例示的実施形態では、第１および第２のリブ８８２、８８４は、異なるサイズおよび／または形状（例えば、異なる高さ、長さ、および／または外形等）を有してもよい。例えば、複数のリブ８８０は、複数のリブ８８０が管ポート８５０の周８３０のまわりに位置付けられるにつれて交互に入れ替わる、２つの異なるリブ外形を含んでもよい。具体的には、複数のリブ８８０が周８３０を中心として位置付けられるにつれて、それらは、１つおきのリブが、異なる外形（例えば、外形Ａ、外形Ｂ、外形Ａ、・・・等）を有するようにパターン化されてもよい。
【００９１】
例示的実施形態では、複数のリブ８８０内の各リブの間の間隔は、リブ８８０が管ポート８５０に接近するにつれて、徐々に減少してもよい。例えば、第１のリブ８８２および第２のリブ８８４は、リブ間隔８６０によって分離されてもよい。別の例示的実施形態では、リブ間隔８６０は、リブ間で実質的に一定のままであってもよい。加えて、リブ８８０は、管１２０の寸法（例えば、高さ、幅、外形等）に基づいて成形されてもよい。例えば、リブ８８０は、関連付けられるポンプ筐体からの管出口角度にかかわらず、リブ間隔８６０、リブ８８０の外形等が、管１２０内の完全な閉塞を防止するように構成され、配列されてもよい。
【００９２】
ここで、図１７Ａおよび１７Ｂを参照すると、管１２０は、（図１７Ａに図示されるような）本開示の閉塞防止特徴を用いずに筐体から退出するように、代替として、（図１７Ｂに図示されるような）本開示の閉塞防止特徴（例えば、リブ２８０）を用いて筐体から退出するように示される。図１７Ａに図示されるように、管１２０は、筐体から退出することに応じて屈曲されている管１２０によってもたらされる、管壁上の過度の応力に起因する張力下で圧潰される。代替として、図１７Ｂは、筐体１１０が、徐々に増加するリブ（例えば、リブ２８０）を有する管ポート１５０を含むことを示す。図示されるように、徐々に増加するリブ（例えば、リブ２８０）は、管１２０が屈曲されるとき、管が閉塞される場合、管１２０が、完全に圧潰または閉塞しない２つの領域（例えば、第１の領域９１０および第２の領域９２０）に分割され、液体（例えば、薬物または薬剤）が、管１２０を通して流動し続けることを可能にすることを確実にする。加えて、リブ２８０は、管１２０の中央を徐々に圧縮させ、液体が管１２０を通して流動し続けることを可能にする、２つの領域（例えば、第１および第２の領域９１０、９２０）を第１および第２のチャネル２４４、２４８に形成させる。さらに加えて、管チャネル２４０の第１および第２のチャネル２４４、２４８は、管１２０に、リブ２８０の周辺に共形化し、第１および第２の領域９１０、９２０を作成するために十分な空間を提供する。
【００９３】
ここで、図１８Ａ−１８Ｃを参照すると、管１２０は、（ｉ）（図１８Ａに図示されるように、筐体１１０の内側に平行な平面から）筐体の背面に向かって１２０度の角度で筐体１１０から退出し、（ｉｉ）（図１８Ｂに図示されるように）筐体の背面に向かって１２０度および側面に対して４５度の角度で筐体１１０から退出するように示される。加えて、図１８Ｃは、リブ２８０等の閉塞防止特徴にわたって変形された、ＩＶ管１２０を図示する。図１８Ａ−１８Ｃのそれぞれにおける管１２０は、完全に圧潰されない２つの領域（例えば、第１および第２の領域９１０、９２０）に分割された、変形面積９５０を含む。上記で議論されるように、リブ外形を徐々に増加させることは、ＩＶ管が、屈曲されると、完全または急激に圧潰されないことを確実にする。図１８Ｂに図示されるように、本開示のリブ（例えば、リブ２８０）はさらに、ＩＶ管１２０もまた、完全に圧潰されることなく、ポンプ筐体に対して複数の方向に屈曲または捻転され得、容積を流体流に開放したままにすることを確実にする。
【００９４】
ここで、図１９Ａ−１９Ｃを参照すると、代替実施形態では、筐体１１０は、管ポート１０５０を含んでもよい。管ポート１０５０は、リブ２８０に類似する、小さいリブを含んでもよい。代替として、管ポート１０５０は、リブを提供しない。管ポート１０５０は、管１２０が、筐体１１０から退出するとき、完全に閉塞しないように、管１２０の壁に支持を提供するように構成される、ある深度および幅を有する、管チャネル１０４０を含んでもよい。加えて、筐体１１０は、管１２０がより長い距離にわたって管チャネル１０４０に沿って延在し、それによって、管チャネル１０４０が管１２０を支持し、管のより大きい区分に沿って管の圧潰を防止することを可能にする、隆起部１０１０を含んでもよい。
【００９５】
本明細書に開示される特徴はまた、筐体１１０に、水の進入に対する保護を提供する。例えば、下記の表１に示されるように、それぞれが、本開示の閉塞防止リブを伴う筐体１１０が水の進入に関するＩＰＸ２試験に合格したことを示す、少なくとも２０回の試験が、実施された。本リブを伴う筐体１１０は、それによって、たとえエンクロージャ（例えば、筐体１１０）が最大１５度傾けられたときであっても、（例えば、薬物供給バッグから）筐体上に垂直に落下する水の液滴に対して保護される。垂直に落下する水の液滴は、したがって、その筐体１１０が垂直部の両側から最大１５度の任意の角度で傾けられるとき、注入ポンプに害をもたらさない。
【表１】
0006912580.tif 000002
【００９６】
加えて、流量精度（「ＦＲＡ」）試験が、本明細書に説明される管ポートを使用して、流量精度（ＦＲＡ）に及ぼす影響がないことを検証した。下記の試験データは、閉塞防止リブを伴うＦＲＡが、閉塞防止リブを伴わない設計より良好に性能を発揮することを実証する。表２に示されるように、閉塞防止リブ（例えば、リブ２８０）は、１２０度の角度で管１２０を屈曲させたとき、流量における最も低い誤差率を示した。例えば、流量における誤差率は、他の筐体構成に関する約０．６０％、１．００％、および２．００％と比較すると、閉塞防止リブを採用するポンプに関して約０．２０％であった。加えて、背面に向かって１２０度の角度、かつ側面に対して４５度の角度で管１２０を屈曲させたとき、閉塞防止リブ（例えば、リブ２８０）は、流量における最も低い誤差率（例えば、それぞれ、約６．００％対−８．００％、−８．５０％、および−１１．００％）を示した。
【表２】
0006912580.tif 000003
【００９７】
本開示の多くの特徴および利点は、記述された説明から明白であり、したがって、添付の請求項は、本開示のそのような特徴および利点を全て網羅することが意図される。さらに、多数の修正および変更が、当業者に容易に想起されるであろうため、本開示は、図示され説明されるような厳密な構成および動作に限定されない。したがって、説明される実施形態は、現在または将来において予測可能または予測不可能であるかどうかにかかわらず、例証的であり、制限的ではないと捉えられるべきであり、本開示は、本明細書において与えられた詳細に限定されるべきではなく、以下の請求項およびそれらの均等物の全範囲によって定義されるべきである。
（項目１）
注入ポンプであって、
静脈（「ＩＶ」）管を受容するように構成される管ポートを含む筐体であって、上記管ポートは、
入口端部と、出口端部とを有する管チャネルと、
上記出口端部に隣接する上記チャネルに沿って位置付けられるリブであって、上記リブは、上記チャネルから離れるように延在するように形成される、リブと
を含む、筐体
を備える、注入ポンプ。
（項目２）
上記リブは、上記管チャネルを、第１のチャネルと、第２のチャネルとに分岐させるように構成される、項目１に記載の注入ポンプ。
（項目３）
上記管チャネルは、上記筐体の内壁に沿って位置付けられ、上記管ポートに対して少なくとも略垂直である、項目１−２のいずれかに記載の注入ポンプ。
（項目４）
上記管チャネルは、上記筐体の内壁に沿って位置付けられ、上記管ポートに対して少なくとも略平行である、項目１−２のいずれかに記載の注入ポンプ。
（項目５）
上記管が、上記管ポートを通して圧迫されると、上記管が上記管チャネルに沿って延在するように構成される、項目１−４のいずれかに記載の注入ポンプ。
（項目６）
注入ポンプのための筐体であって、
静脈（「ＩＶ」）管を受容するように構成される管ポートであって、上記管ポートは、
入口端部と、出口端部とを有する管チャネルと、
上記出口端部に隣接する上記チャネルに沿って位置付けられるリブであって、上記リブは、上記管が、上記管ポートを通過されるにつれて、上記管に向かって延在し、それによって、上記管を湾入させ、上記管の完全な閉塞を防止する傾向になるように形成される、リブと
を含む、管ポート
を備える、筐体。
（項目７）
上記リブは、上記管チャネルを、第１のチャネルと、第２のチャネルとに分岐させるように構成される、項目６に記載の筐体。
（項目８）
上記管チャネルは、上記筐体の内壁に沿って位置付けられ、上記管ポートに対して少なくとも略垂直である、項目６−７のいずれかに記載の筐体。
（項目９）
上記管チャネルは、上記筐体の内壁に沿って位置付けられ、上記管ポートに対して少なくとも略平行である、項目６−７のいずれかに記載の筐体。
（項目１０）
上記リブは、第１の端部と、第２の端部とを含み、上記第１の端部は、第１の直径を有し、上記第２の端部は、第２の異なる直径を有する、項目６−９のいずれかに記載の筐体。
（項目１１）
上記第２の直径は、上記第１の直径より大きい、項目１０に記載の筐体。
（項目１２）
上記リブは、第１の端部から第２の端部まで徐々に増加する外形を含み、上記第１の端部は、上記第２の端部より上記ポートの外側開口部により近接する、項目６−９のいずれかに記載の筐体。
（項目１３）
上記リブは、上記ＩＶ管を、２つの非閉塞領域に分割するように構成される、項目６−１２のいずれかに記載の筐体。
（項目１４）
上記リブは、上記筐体の内側上に位置付けられる、項目６−１３のいずれかに記載の筐体。
（項目１５）
上記リブは、上記筐体の外側上に位置付けられる、項目６−１３のいずれかに記載の筐体。
（項目１６）
注入ポンプであって、
静脈（「ＩＶ」）管を受容するように構成される管ポートを含む筐体であって、上記管ポートは、
上記筐体の外側上の上記管ポートの周のまわりに位置付けられる複数のリブであって、上記複数のリブは、上記管が上記筐体の外側上で屈曲されるとき、上記管内の閉塞を防止するように構成される、複数のリブ
を含む、筐体
を備える、注入ポンプ。
（項目１７）
上記複数のリブは、上記周のまわりに円周方向に位置付けられ、それぞれ、上記ポートの中心に向けられる、項目１６に記載の注入ポンプ。
（項目１８）
上記複数のリブはそれぞれ、少なくともほぼ同一のサイズおよび形状を有する、項目１６−１７のいずれかに記載の注入ポンプ。
（項目１９）
上記複数のリブは、第１のリブと、第２のリブとを含み、上記第１のリブは、上記第２のリブと異なる形状、サイズ、および／または配向を有する、項目１６−１７のいずれかに記載の注入ポンプ。
（項目２０）
上記複数のリブはそれぞれ、上記管ポートの中心に向かって半径方向に延在する、項目１６−１９のいずれかに記載の注入ポンプ。
【図１Ａ】
0006912580.tif 000004
【図１Ｂ】
0006912580.tif 000005
【図１Ｃ】
0006912580.tif 000006
【図１Ｄ】
0006912580.tif 000007
【図２Ａ】
0006912580.tif 000008
【図２Ｂ】
0006912580.tif 000009
【図２Ｃ】
0006912580.tif 000010
【図３】
0006912580.tif 000011
【図４Ａ】
0006912580.tif 000012
【図４Ｂ】
0006912580.tif 000013
【図４Ｃ】
0006912580.tif 000014
【図４Ｄ】
0006912580.tif 000015
【図５Ａ】
0006912580.tif 000016
【図５Ｂ】
0006912580.tif 000017
【図６Ａ】
0006912580.tif 000018
【図６Ｂ】
0006912580.tif 000019
【図７Ａ】
0006912580.tif 000020
【図７Ｂ】
0006912580.tif 000021
【図８Ａ】
0006912580.tif 000022
【図８Ｂ】
0006912580.tif 000023
【図９Ａ】
0006912580.tif 000024
【図９Ｂ】
0006912580.tif 000025
【図１０Ａ】
0006912580.tif 000026
【図１０Ｂ】
0006912580.tif 000027
【図１０Ｃ】
0006912580.tif 000028
【図１１Ａ】
0006912580.tif 000029
【図１１Ｂ】
0006912580.tif 000030
【図１２Ａ】
0006912580.tif 000031
【図１２Ｂ】
0006912580.tif 000032
【図１３Ａ】
0006912580.tif 000033
【図１３Ｂ】
0006912580.tif 000034
【図１４Ａ】
0006912580.tif 000035
【図１４Ｂ】
0006912580.tif 000036
【図１５】
0006912580.tif 000037
【図１６】
0006912580.tif 000038
【図１７Ａ】
0006912580.tif 000039
【図１７Ｂ】
0006912580.tif 000040
【図１８Ａ】
0006912580.tif 000041
【図１８Ｂ】
0006912580.tif 000042
【図１８Ｃ】
0006912580.tif 000043
【図１９Ａ】
0006912580.tif 000044
【図１９Ｂ】
0006912580.tif 000045
【図１９Ｃ】
0006912580.tif 000046